(57)【要約】【課題】底部材の上に空気袋を有する空気封入型クッション材を敷いた祭事用地下足袋において、特に踵部分への集中荷重によっても空気袋の変形を抑えて姿勢の安定性を確保する。【解決手段】底部材の上に空気封入型クッション材を敷いてその上に中敷クッション材を重ねた祭事用地下足袋において、空気封入型クッション材と中敷きクッション材との間の踵部分に硬質ボードを挿設したことを特徴とする祭事用地下足袋。【選択図】      図１
2004147773.tif 000002
【特許請求の範囲】
【請求項１】
底部材の上に空気封入型クッション材を敷いてその上に中敷クッション材を重ねた祭事用地下足袋において、空気封入型クッション材と中敷きクッション材との間の踵部分に硬質ボードを挿設したことを特徴とする祭事用地下足袋。
【請求項２】
空気封入型クッション材が連続又は独立した多数の空気袋を有するものであり、この空気袋が、踵部分のものを他よりも高くして縁を巡らせたものである請求項１の祭事用地下足袋。
【請求項３】
中敷クッション材が爪先部分に小孔が形成されたスポンジ体であり、踵部分に縦壁が上向して形成されたものである請求項１又は２の祭事用地下足袋。
【発明の詳細な説明】
【０００１】
【発明の属する技術分野】
本発明は、祭等で履かれる祭事用地下足袋に関するものである。
【０００２】
【従来の技術】
祭等で神輿を担ぐときには、激しい動きを要求されるため、地下足袋（祭事用地下足袋）を履くことが多い。現在、用いられている祭事用地下足袋は、底のゴム材が薄いことから、衝撃を直に受ける。このため、内部に中敷クッション材等を挿入しているが、十分とは言えない。又、踵部分の補強布も薄いため、踵と底部材とがずれて安定性を欠き、動きに制約を受ける。
【０００３】
そこで、特開２００２−５１８０１公報には、中敷クッション材の踵部分の下に空気封入型クッション材を敷いたものが示されている。この空気封入型クッション材とは、樹脂材等に人の体重程度では破れない空気袋を適宜な配置で形成したものであり、非常にクッション性の高いものである。しかし、反面、荷重がかかると、袋内で空気が荷重点から逃げて形が崩れ、安定性を欠くものでもある。
【０００４】
人の踵は、凸形のアールになって中敷クッション材に接触しているが、激しい動きをして足裏面が傾くと、荷重域は狭まり、且つ、荷重がかかる点は中敷クッション材上を移動する。従って、空気袋が変形して安定性が悪くなる。丁度、水枕の上で寝返り等をすると、水枕が変形して頭が揺れる現象に例えられる。本発明は、このような課題を解決するものであり、踵による空気封入型クッション材への荷重を分散させて安定性を確保したものである。
【０００５】
【課題を解決するための手段】
以上の課題の下、本発明は、請求項１に記載した、底部材の上に空気封入型クッション材を敷いてその上に中敷クッション材を重ねた祭事用地下足袋において、空気封入型クッション材と中敷きクッション材との間の踵部分に硬質ボードを挿設したことを特徴とする祭事用地下足袋を提供したものである。
【０００６】
以上の手段をとることにより、足裏面が傾いて荷重域が狭まり、且つ、移動したとしても、空気封入型クッション材の上に存在する硬質ボードがその荷重を分散させ、空気封入型クッション材へかかる荷重を均平化する。従って、空気封入型クッション材の変形は抑えられ、安定性が向上する。
【０００７】
【発明の実施の形態】
以下、本発明の実施の形態を図面を参照して説明する。図１は本発明に係る祭事用地下足袋（以下、地下足袋）を構成する部材の斜視図、図２は地下足袋の縦断面図、図３は地下足袋の踵部分の横断面図、図４は地下足袋の斜視図であるが、本例の地下足袋は、先端が二股に分かれた足形をした底部材１に足袋の外郭を構成する側布２を縫い付けた通常構造のものである。
【０００８】
この場合の底部材１は、底ゴム１ａと底布１ｂとの二層で構成されて履き心地と機能性を高めている。又、側布２は、荷重がかかる足指部分及び側部や後部には、適宜補強布を当てたり、縫ったりして強度を高めている。そして、側布２の後部は、足を挿抜するために分割されており、コハゼ３とこれを掛けるコハゼ掛け４とが設けられている。
【０００９】
本発明の地下足袋は、上記した底部材１の上に下から順に空気封入型クッション材５、硬質ボード６及び中敷クッション材７が重ねられる。ここでいう空気封入型クッション材５とは、二枚の足形をした合成樹脂シートの間に空気を入れ、その縁を固着（溶着）して空気を閉じ込めたものである。しかし、このままでは、空気が自由に移動して定型性と剛性において劣るから、適当な配置で両シートを部分的に固着し、固着部分５ａには空気が入らないようにして定型性と剛性を保っている。
【００１０】
従って、固着部分５ａを除いた部分で連続又は独立した多数の空気袋５ｂが形成されることになり、この空気袋５ｂがクッション機能を発揮させるものとなる。この点で、空気袋５ｂ（固着部分５ａ）の大きさや配置を調整して目的とするクッション性を確保することになる。本例の場合、踵部分の空気袋５ｂは、その高さを他よりも高くして連続して縁を巡らせており、クッション性をより高めている。又、中央部の空気袋５ｂも他より若干背を高くしてクッション性の向上を図っている。
【００１１】
空気封入型クッション材５の上に重ねられる中敷クッション材７も、足形をしたものであってクッション性を高めるものである。本例の中敷クッション材７は、スポンジ体で構成されており、ムレを防ぐために中央から爪先部分にかけて小孔７ａが形成されている。更に、本例の中敷クッション材７の踵部分の端には、踵の位置ずれを防ぐための縦壁７ｂも上向して形成されている。
【００１２】
本発明は、以上の空気封入型クッション材５と中敷クッション材７の少なくとも踵部分に硬質ボード６を挿設したものである。この硬質ボード６は、踵からの荷重を分散させて空気封入型クッション材５に応力が集中するのを避けるものであり、この意味から、変形がし難い硬質の部材で構成される。
【００１３】
具体的には、金属、硬質樹脂、硬質紙等が考えられる。一方、その厚みは、あまり薄いと上記機能が奏せず、あまり厚いと空気封入型クッション材５の本来のクッション性が害される上に踵部分が高くなるから、その兼ね合いで決定されるが、一般的には、０．５〜３ｍｍ程度に設定される。
【００１４】
次に、以上の地下足袋の作用について説明すると、神輿を担いだりして足８を激しく動かすと、足裏面が傾いたり、特定の個所に応力集中が起こる。すると、荷重域は狭まり、且つ、荷重点が中敷クッション材７上を移動するから、空気袋５ｂが変形して安定性が損なわれるのは上記したとおりである。特に、空気袋５ｂが踵部分の縁を巡らされるものでは、この傾向が強い。しかし、このような硬質ボード６が存在すると、荷重は分散され、空気袋５ｂの変形は抑えられて安定性が確保される。又、中敷クッション材７の踵部分に縦壁７ｂが存在するのも、この安定性に寄与する。
【００１５】
以上は、本発明の基本的な形態であるが、本発明は、これに限らず、種々改変された形態をとることがある。例えば、硬質ボードは、踵部分に限らず、足裏全体又は踵側と爪先側とに分けて設けられることもある。又、空気封入型クッション材の踵部分に形成される空気袋も、上記のように、背を高くしたり、縁を巡らせたりするものに限らない。更に、中敷クッション材の踵部分の縦壁も必ずしも必要なものではない。この他、中敷クッション材も複層のもので構成されることもある。
【００１６】
【発明の効果】
以上、本発明によれば、足裏面が傾いて荷重域が狭まり、且つ、移動したとしても、空気封入型クッション材の上に存在する硬質ボードがその荷重を分散させ、空気封入型クッション材へかかる荷重を均平化する。従って、空気袋の変形は抑えられ、安定性を確保する。
【図面の簡単な説明】
【図１】本発明に係る祭事用地下足袋を構成する部材の一例を示す斜視図である。
【図２】本発明に係る祭事用地下足袋の一例を示す縦断面図である。
【図３】本発明に係る祭事用地下足袋の一例を示す横断面図である。
【図４】本発明に係る祭事用地下足袋の斜視図である。
【符号の説明】
１    底部材
２    側布
３    コハゼ
４    コハゼ掛け
５      空気封入型クッション材
５ａ            〃          の固着部分
５ｂ            〃          の空気袋
６    硬質ボード
７    中敷クッション材
７ａ            〃    の小孔
７ｂ            〃    の縦壁
８    足
【図１】
2004147773.tif 000003
【図２】
2004147773.tif 000004
【図３】
2004147773.tif 000005
【図４】
2004147773.tif 000006